(57)【要約】【課題】光源から照射される光によって、画像形成部の様子や画像が形成されたロール紙の様子を観察しやすくすること。【解決手段】ロール紙１に記録可能な記録ヘッド１１と、記録ヘッド１１を収容するキャリッジ３０と、キャリッジ３０が走査する走査方向Ｘと交差する高さ方向において、キャリッジ３０よりも上方に設けられる照明部７０と、を備え、照明部７０は、キャリッジ３０に光を照射可能であり、キャリッジ３０には、反射抑制処理が施されている。【選択図】図２
2020192757.tif 000002
【特許請求の範囲】
【請求項１】
メディアに記録可能な記録ヘッドと、
前記記録ヘッドを収容するキャリッジと、
前記キャリッジが走査する走査方向と交差する高さ方向において、前記キャリッジよりも上方に設けられる照明部と、
を備え、
前記照明部は、前記キャリッジに光を照射可能であり、
前記キャリッジには、反射抑制処理が施されていることを特徴とする記録装置。
【請求項２】
請求項１に記載の記録装置であって、
前記反射抑制処理は、黒色のシボ塗装であることを特徴とする記録装置。
【請求項３】
請求項１または２に記載の記録装置であって、
前記メディアを支持する支持部を備え、
前記キャリッジは、前記支持部と対向する底面を有し、
前記キャリッジには、前記高さ方向において上部、且つ、前記高さ方向と交差する前記メディアの搬送方向の下流において、前記底面に対して傾斜する傾斜面が形成されていることを特徴とする記録装置。
【請求項４】
請求項３に記載の記録装置であって、
前記キャリッジには、前記高さ方向において上部、且つ、前記傾斜面よりも前記搬送方向の上流に、前記底面と平行な平面が形成され、
前記照明部は、光を発生する光源を有し、
前記高さ方向から見て、前記光源は、前記平面と重なるとともに前記傾斜面と重ならないことを特徴とする記録装置。
【請求項５】
請求項１から４のいずれか一項に記載の記録装置であって、
前記照明部によって光が照射される領域である照射領域を視認可能に、前記記録装置の本体に支持されるカバーを備え、
前記カバーは、光を透過する透光部材と、前記走査方向における前記透光部材の縁端を支持するフレームと、を含むとともに、前記本体に対して開閉可能に支持され、
前記キャリッジは、前記走査方向において、前記メディアに記録する記録領域と、前記記録領域に対して前記走査方向の一方に外れた退避領域と、に移動可能であり、
前記フレームは、光を透過しない非透光部材で構成され、
前記カバーを平面視して、前記キャリッジは、前記退避領域において前記フレームと重なることを特徴とする記録装置。
【請求項６】
請求項１から５のいずれか一項に記載の記録装置であって、
前記照明部は、光を発生する光源と、前記光源を支持する光源保持部と、を含み、
前記記録装置の本体に対して前記光源保持部の向きを変更可能な変更部を備えることを特徴とする記録装置。
【発明の詳細な説明】
【技術分野】
【０００１】
本発明は、記録装置に関する。
【背景技術】
【０００２】
従来、内部を照明する照明部を備えた画像形成装置（記録装置）が知られている（例えば、特許文献１）。
特許文献１に記載の記録装置の照明部は、画像形成部の上部に、画像形成部によってロール紙に画像が形成される領域の全体に光を照射する光源を有し、ユーザーは、画像形成部の様子や画像が形成されたロール紙の様子を観察することができる。
【先行技術文献】
【特許文献】
【０００３】
【特許文献１】特開２０１６−２１５５２２号公報
【発明の概要】
【発明が解決しようとする課題】
【０００４】
しかしながら、特許文献１に記載の記録装置では、光源から照射される光が、画像形成部のキャリッジによって反射され、ユーザーの目に届くと、画像形成部の様子や画像が形成されたロール紙の様子を適正に観察することが難しくなり、ユーザーの視認性が低下するおそれがあった。
【課題を解決するための手段】
【０００５】
本願の記録装置は、メディアに記録可能な記録ヘッドと、前記記録ヘッドを収容するキャリッジと、前記キャリッジが走査する走査方向と交差する高さ方向において、前記キャリッジよりも上方に設けられる照明部と、を備え、前記照明部は、前記キャリッジに光を照射可能であり、前記キャリッジには、反射抑制処理が施されていることを特徴とする。
【０００６】
上記記録装置では、前記反射抑制処理は、黒色のシボ塗装であることが好ましい。
【０００７】
上記記録装置では、前記メディアを支持する支持部を備え、前記キャリッジは、前記支持部と対向する底面を有し、前記キャリッジには、前記高さ方向において上部、且つ、前記高さ方向と交差する前記メディアの搬送方向の下流において、前記底面に対して傾斜する傾斜面が形成されていることが好ましい。
【０００８】
上記記録装置では、前記キャリッジには、前記高さ方向において上部、且つ、前記傾斜面よりも前記搬送方向の上流に、前記底面と平行な平面が形成され、前記照明部は、光を発生する光源を有し、前記高さ方向から見て、前記光源は、前記平面と重なるとともに前記傾斜面と重ならないことが好ましい。
【０００９】
上記記録装置では、前記照明部によって光が照射される領域である照射領域を視認可能に、前記記録装置の本体に支持されるカバーを備え、前記カバーは、光を透過する透光部材と、前記走査方向における前記透光部材の縁端を支持するフレームと、を含むとともに、前記本体に対して開閉可能に支持され、前記キャリッジは、前記走査方向において、前記メディアに記録する記録領域と、前記記録領域に対して前記走査方向の一方に外れた退避領域と、に移動可能であり、前記フレームは、光を透過しない非透光部材で構成され、前記カバーを平面視して、前記キャリッジは、前記退避領域において前記フレームと重なることが好ましい。
【００１０】
上記記録装置では、前記照明部は、光を発生する光源と、前記光源を支持する光源保持部と、を含み、前記記録装置の本体に対して前記光源保持部の向きを変更可能な変更部を備えることが好ましい。
【図面の簡単な説明】
【００１１】
【図１】実施形態に係る記録装置の斜視図。
【図２】本体の内部を側面から見た概略図。
【図３】キャリッジの反射光の状態を示す概略図。
【発明を実施するための形態】
【００１２】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際と異ならせている。
【００１３】
（実施形態）
図１は、実施形態に係る記録装置１００の斜視図である。図２は、本体２の内部を側面から見た概略図である。
最初に、図１及び図２を参照し、本実施形態に係る記録装置１００の概要を説明する。
【００１４】
本実施形態に係る記録装置１００は、例えば、ＪＩＳ規格のＡ０判やＢ０判などといった比較的大きなサイズのメディアに画像形成（記録）が可能な大型のインクジェット式プリンターである。メディアは、ロール状に巻かれた状態で供給される。
なお、以下の説明では、画像が形成されるメディアをロール紙１と言う。ロール紙１は、本願におけるメディアの一例である。
【００１５】
図１及び図２に示すように、本実施形態に係る記録装置１００は、本体２及び本体２を支持するスタンド３などから構成されている。本体２は、画像形成部１０、搬送部２０、操作パネル５０、及び、本体２の内部を照明する照明部７０などを有する。
以降の説明では、記録装置１００の長手方向（幅方向）をＸ方向とし、記録装置１００の短手方向（奥行方向）をＹ方向とし、記録装置１００の高さ方向をＺ方向とする。すなわち、記録装置１００のＸ方向における寸法は、記録装置１００のＹ方向における寸法よりも大きい。
なお、Ｘ方向は、本願におけるキャリッジが走査する走査方向の一例であり、以降、走査方向Ｘと称す場合がある。Ｚ方向は、本願におけるキャリッジが走査する走査方向と交差する高さ方向の一例である。
【００１６】
本体２の手前上部には、本体２の内部を視認できるカバー４が設けられている。カバー４は、後述する照明部７０によって光が照射される領域である照射領域を視認可能に、記録装置１００の本体２に支持されている。
カバー４は本体２に対して開閉可能に支持されている。カバー４は、光を透過する透光部材１５と、透光部材の縁端を支持するフレーム１６とを有する。フレーム１６は、光を透過しない非透光部材で構成され、走査方向Ｘにおける透光部材１５の縁端、及び走査方向Ｘと交差するＺ方向における透光部材１５の縁端を支持する。ここで、非透光部材は例えばＳＵＳやアルミなどの金属や、光を透過しない黒色の樹脂などである。また、光とは、可視光に限らず赤外線や紫外線などの不可視光線も含む概念である。また、光を透過しないとは、完全に光を透過しない状態と、入射光の強度に対する出射光の強度の割合が５０％〜９９％である状態と、を含む概念である。すなわち、ユーザーに与える影響が減少していればよい。
スタンド３は、その下端に、記録装置１００が床面を移動可能とするための複数のキャスター１７を備え、上部に本体２を載せ支持している。
【００１７】
画像形成部１０は、インクを吐出してロール紙１に画像を記録可能な記録ヘッド１１、Ｘ方向に延在するガイド軸１２、記録ヘッド１１を収容し走査方向Ｘに移動可能なキャリッジ３０、及び、画像形成部１０においてロール紙１を支持する支持部１４などを備えている。
図１において、カバー４を正面から見た場合（以降、カバー４を平面視して、と称す）、透光部材１５に重なる領域がロール紙１に画像を記録する記録領域Ａである。記録領域Ａに対して−Ｘ方向側に配置される領域が退避領域Ｂである。退避領域Ｂは、ホームポジションともいわれ、記録領域Ａに対して走査方向Ｘの一方に外れて配置される。
【００１８】
ロール紙1に画像を記録する場合、キャリッジ３０は、記録領域Ａにおいて走査方向Ｘに移動する。そして、キャリッジ３０に搭載される記録ヘッド１１が走査方向Ｘに移動しながらインクをロール紙１に吐出する動作と、後述する搬送部２０がロール紙１を搬送方向Ｆに搬送する動作とを交互に繰り返し、ロール紙１に所望の画像を記録する。
退避領域Ｂにおいて、記録ヘッド１１からインクの乾燥を抑制するキャッピング処理や、記録ヘッド１１を正常な状態に回復させるメンテナンス処理が施される。
【００１９】
ロール紙１に画像を記録する場合、キャリッジ３０は記録領域Ａに配置される。ロール紙１に画像を記録しない場合、キャリッジ３０は退避領域Ｂに配置される。言い換えれば、キャリッジ３０は、走査方向Ｘにおいて、ロール紙１に記録する記録領域Ａと、記録領域Ａに対して走査方向Ｘの一方に外れた退避領域Ｂと、に移動可能である。
さらに、カバー４を平面視して、キャリッジ３０は、退避領域Ｂにおいてフレーム１６と重なる。ここで、カバー４を平面視するとは、例えば高さ方向（Ｚ方向）からカバー４を見ることである。あるいは、Ｘ方向とＺ方向とに交差するＹ方向からカバー４を見ることである。
【００２０】
図２に示すように、支持部１４は、走査方向Ｘに長い長方形状の部材であり、ロール紙１を支持する面を有する。
キャリッジ３０は、支持部１４と対向する底面３１を有する。キャリッジ３０には、高さ方向（Ｚ方向）において上部、且つ、高さ方向と交差するロール紙１の搬送方向Ｆの下流において、底面３１に対して傾斜する傾斜面３２が形成されている。さらに、キャリッジ３０には、高さ方向において上部、且つ、傾斜面３２よりも搬送方向Ｆの上流に、底面３１と平行な平面３３が形成されている。ここで、搬送方向Ｆは、支持部１４の近傍においてＹ方向と略平行である。言い換えれば、支持部１４における搬送方向Ｆは、Ｙ方向と略平行である。
すなわち、キャリッジ３０は、−Ｚ方向側に支持部１４と対向する底面３１を有し、さらに、＋Ｚ方向側に底面３１に対して傾斜する傾斜面３２及び底面３１と平行な平面３３を有する。そして、傾斜面３２は支持部１４における搬送方向Ｆの下流側に配置され、平面３３は支持部１４における搬送方向Ｆの上流側に配置される。
なお、本実施形態では、傾斜面３２は平面であるが、傾斜面３２は曲面であってもよい。例えば、図２において、傾斜面３２は本体２の外側に向かう方向に張り出した曲面であってもよく、傾斜面３２は本体２の内側に向かう方向に張り出した曲面であってもよい。
また、傾斜面３２が平坦である場合には、支持部１４における搬送方向Ｆに対する傾斜面３２の傾斜角が段階的に変化してもよい。
また、傾斜面３２が平坦である場合には、傾斜面３２が底面３１に対する傾斜角は例えば３０°〜８０°の範囲である。
【００２１】
搬送部２０は、ロール紙除給部２１、ロール紙格納部２２、及び、排出部２３などから構成されている。
ロール紙除給部２１は、ロール紙格納部２２に格納された記録前のロール紙１を画像形成部１０に供給する、あるいは、ロール紙１を、画像形成部１０からロール紙格納部２２側に戻す複数の搬送ローラー２１ａ〜２１ｅを備えている。搬送ローラー２１ａ〜２１ｅは、本体２の内部において、ロール紙１の搬送経路（画像形成部１０までの経路）を形成するローラーであり、駆動ローラーや駆動ローラーに従動してロール紙１をガイドする従動ローラーなどから構成されている。
【００２２】
また、ロール紙除給部２１は、搬送経路内において、ロール紙１が各搬送ローラー２１ａ〜２１ｅ間をスムーズに搬送（画像形成部１０への供給、及び、ロール紙格納部２２側への巻き戻し）されるように構成されている。具体的には、搬送ローラー２１ａ〜２１ｅは、必要ないくつかの部位において、駆動ローラーと、駆動ローラーに向かって付勢されて配置される従動ローラーとで構成されている。また、ロール紙１が、各搬送ローラー２１ａ〜２１ｅ間をスムーズに搬送されるように位置を規制するガイド部（図示省略）を備えている。ガイド部とは、例えば、搬送ローラー２１ａから搬送ローラー２１ｂへ、または、搬送ローラー２１ｅから搬送ローラー２１ｂへ、ロール紙１が搬送される場合に、ロール紙１の先端部がスムーズに搬送ローラー２１ｂを構成する駆動ローラーと従動ローラーとの間に挿入されるようにするガイド板などである。
【００２３】
ロール紙格納部２２は、本体２の後側の上部に設けられた第１格納部２２ａと、本体２の下側に配置された第２格納部２２ｂとを備える。第１格納部２２ａ及び第２格納部２２ｂには、それぞれ記録前のロール紙１を格納することができる。また、それぞれの格納部には仕様（材質やサイズなど）の異なるロール紙１を格納することができる。
【００２４】
第１格納部２２ａ及び第２格納部２２ｂは、それぞれ、ロール紙１をその軸方向両側から保持する一対のホルダー２２ｈを備えている。また、第１格納部２２ａ及び第２格納部２２ｂは、それぞれ、ホルダー２２ｈに回転動力を伝達するモーター（図示省略）を備え、このモーターの駆動によりホルダー２２ｈに保持されたロール紙１が回転することにより、ロール紙１が送り出されたり、または、巻き取られたりする。
【００２５】
ロール紙除給部２１は、第１格納部２２ａと第２格納部２２ｂのそれぞれに格納されたロール紙１の内、いずれか一方のロール紙１を画像形成部１０に供給して記録を行う。いずれのロール紙１を用いるかは、実行するジョブの要求や操作パネル５０からの設定（選択）に従う。
【００２６】
ロール紙１は、第１格納部２２ａあるいは第２格納部２２ｂからロール紙除給部２１を経て画像形成部１０に入り、記録後に排出部２３を経て排出される。排出部２３は、記録後のロール紙１を画像形成部１０から排出する複数の搬送ローラー２３ａ，２３ｂを備えている。搬送ローラー２３ａ，２３ｂは、本体２の内部において、ロール紙１の排出経路を形成するために複数の位置に設けられたローラーであり、駆動ローラーや駆動ローラーに従動してロール紙１をガイドする従動ローラーなどから構成されている。
また、排出部２３には、ロール紙１を切断するためのカッター２４が備えられている。
【００２７】
本体２の内部には、本体２の内部を照らす照明部７０が設けられている。照明部７０は、キャリッジ３０が走査する走査方向Ｘと交差する高さ方向（Ｚ方向）において、キャリッジ３０よりも上方に設けられている。照明部７０は、Ｘ方向に延在するように設置されている(図1参照)。
照明部７０は、光を発生する少なくとも一つの光源７１と、光源を保持する光源保持部７２とを有する。少なくとも一つの光源７１は、ＲＧＢ３色で構成される複数のＬＥＤ（Light Emitting Diode）で構成される。複数の光源７１は、Ｘ方向に沿って配置され、走査方向Ｘに移動するキャリッジ３０に光を照射可能である。すなわち、照明部７０はキャリッジ３０に光を照射可能である。
高さ方向（Ｚ方向）から見て、光源７１は、キャリッジ３０の平面３３と重なるとともに、キャリッジ３０の傾斜面３２と重ならないように配置されている。
【００２８】
光源保持部７２は、変更部７７を介して本体２に取り付けられている。変更部７７は、本体２に対する光源保持部７２の向きを変更可能な支持部材である。
本実施形態では、走査方向Ｘに移動するキャリッジ３０、及び、画像形成部１０によってロール紙１に画像が形成される領域（記録領域Ａ）は、光源７１によって常時照らされる。ユーザーは、カバー４を介して、画像形成部１０の様子や画像形成部１０によって画像が形成されるロール紙１の様子などを観察することができる。
変更部７７は、ユーザーが本体２の内部を観察しやすいように、光源７１から発せられる光の向きを調整する。変更部７７は、例えば蝶番（図示省略）を用いて本体２に対して回動可能に支持されている。
【００２９】
ところで、走査方向Ｘに沿って配置される複数の光源７１がキャリッジ３０に向けて常時光を照射し、キャリッジ３０が走査方向Ｘに移動し、光源７１の光が走査方向Ｘに移動するキャリッジ３０によって反射され、キャリッジ３０によって反射された反射光がユーザーの目に届く場合、ユーザーは当該反射光を点滅した光として認識する。
ところが、ユーザーが認識する点滅した光は、ユーザーにとって本体２の内部の視認性を低下させる要因となる場合があり、ユニバーサルデザインの基準に適合しないおそれがある。
【００３０】
ユニバーサルデザインとは、文化や言語や国籍や年齢や性別などの違い、障害の有無や能力差などを問わずに利用できることを目指した建築や製品や情報などの設計（デザイン）のことである。ユニバーサルデザインによって、障害の有無、年齢、性別、人種などにかかわらず、多くの人が利用しやすい建築や製品や情報などの提供が望まれている。
例えば、ユニバーサルデザインでは、色弱者にとって識別しやすい色の組み合わせがあるので、そのような色の組み合わせに配慮した記録物を作成することが望ましい。例えば、ユニバーサルデザインでは、色だけに頼った情報提供だけでなく、形状の違い、ハッチング、文字、記号などを併用し、色に頼らなくても情報が得られることが望ましいとされている。
光の点滅に関しては、その点滅光に対する感受性に個人差がある。光の刺激に対して感受性が高いユーザーは点滅光に対してもやはり感受性が高くなる。このようなユーザーにとって、記録領域Ａを照らす光よりも点滅光（キャリッジ３０からの反射光）に注意が向き、記録領域Ａを視認するという作業が困難になる可能性がある。
加えて、キャリッジ３０は、他の部材と比べて光源７１の近くに配置されるので、キャリッジ３０によって反射される反射光の強度が強くなり、当該反射光がユーザーの目に届くと、ユーザーが本体２の内部を適正に観察しにくくなり、ユーザーの視認性が低下するおそれがある。
本実施形態は、本体２の内部の視認性が低下することを抑制する優れた構成を有しているので、以下にその詳細を説明する。
【００３１】
キャリッジ３０には、光の反射を抑制する反射抑制処理が施されている。具体的には、反射抑制処理は黒色のシボ塗装である。
詳しくは、キャリッジ３０は、鉄の酸化物（例えば、マグネタイト型四酸化三鉄）、銅とクロムとの複合酸化物、及び銅とクロムと亜鉛との複合酸化物などの酸化物系黒色顔料を分散させた黒色塗料によって、塗装が施されている。すると、酸化物系黒色顔料による凹凸がキャリッジ３０の表面に形成されると共に、キャリッジ３０の表面が黒色の着色層で覆われる。その結果、キャリッジ３０の表面が凹凸を有する黒色の着色層で覆われ、キャリッジ３０の表面が光沢の無い黒色の着色層で覆われる。
【００３２】
さらに、シボ金型によってシボ（しわ模様）を形成したキャリッジ３０に黒色塗料を塗布することによって、キャリッジ３０に対して黒色のシボ塗装を施してもよい。例えば、サンドブラストによって凹凸を形成したキャリッジ３０に黒色塗料を塗布することによって、キャリッジ３０に対して黒色のシボ塗装を施してもよい。その結果、凹凸を有するキャリッジ３０の表面が黒色の着色層で覆われ、キャリッジ３０の表面が光沢の無い黒色の着色層で覆われる。
【００３３】
このように、本願における黒色のシボ塗装とは、キャリッジ３０の表面に凹凸を有する黒色の着色層を形成すること、または、凹凸を形成したキャリッジ３０の表面に黒色の着色層を形成することである。黒色のシボ塗装によって光沢の無い黒色の着色層が形成され、光沢のある黒色の着色層が形成される場合と比べて、光の反射が抑制される。
従って、キャリッジ３０の表面に黒色のシボ塗装を施すと、光源７１の光がキャリッジ３０に照射されても、キャリッジ３０による反射光の強度を弱め、本体２の内部の視認性が低下するという不具合を抑制することができる。
【００３４】
例えば、キャリッジ３０に黒色のシボ塗装を施すのでなく、キャリッジ３０に光の反射が生じにくいシートを張り付けてもよい。
例えば、キャリッジ３０をアルミニウムで構成し、キャリッジ３０に対して黒アルマイト処理を施してもよい。詳しくは、アルマイト処理で形成された孔に黒色の染料を埋め込んで、光沢が無い黒色の着色層を形成してもよい。
かかる構成によっても、光源７１の光がキャリッジ３０に照射されても、キャリッジ３０による反射光の強度を弱め、本体２の内部の視認性が低下するという不具合を抑制することができる。
【００３５】
図３は、図２に対応する図であり、キャリッジ３０の反射光の状態を示す概略図である。
図３では、傾斜面３２の＋Ｚ方向側の端から平面３３の＋Ｙ方向側の端に跨る領域Ｄが黒丸で図示されている。領域Ｄは、傾斜面３２と平面３３との境界の近くで、傾斜面３２と平面３３とに跨る領域である。さらに、図３では、光源７１から発せられる光のうち領域Ｄに入射する光Ｌ、及び光Ｌの反射光Ｌ１，Ｌ２が矢印で図示され、光Ｌの反射光が届きにくい領域Ｃに網掛けが施されている。図３において、光Ｌ、及び光Ｌの反射光Ｌ１，Ｌ２を示す矢印は、それぞれの光の代表的な光線を表したものである。従って、光Ｌ、及び光Ｌの反射光Ｌ１，Ｌ２のそれぞれは図３に示される矢印に沿った経路のみを通る訳ではなく、矢印に沿った経路以外の経路にも光の成分が存在することに注意されたい。なお、図３における矢印に沿った経路以外の経路を通る光の強度は、矢印に沿った経路を通る光の強度よりも十分小さいものとする。
【００３６】
図３に示すように、光源７１から発せられる光Ｌが傾斜面３２の領域Ｄで反射された光が反射光Ｌ１であり、光源７１から発せられる光Ｌが平面３３の領域Ｄで反射された光が反射光Ｌ２である。
光源７１から発せられる光Ｌが傾斜面３２の領域Ｄよりも−Ｚ方向側の傾斜面３２で反射された反射光は、反射光Ｌ１に対して−Ｚ方向側に出射される。このため、光源７１から発せられる光Ｌが傾斜面３２によって反射された反射光は、反射光Ｌ１に対して＋Ｚ方向側に射出されない。
光源７１から発せられる光Ｌが平面３３の領域Ｄよりも−Ｙ方向側の平面３３で反射された光は、反射光Ｌ２に対して−Ｙ方向側に出射される。このため、光源７１から発せられる光Ｌが平面３３によって反射された反射光は、反射光Ｌ２に対して＋Ｙ方向側に射出されない。
よって、反射光Ｌ１に対して＋Ｚ方向側に配置され、且つ反射光Ｌ２に対して＋Ｙ方向側に配置される領域Ｃは、キャリッジ３０によって反射された反射光が射出されない領域になり、光Ｌの反射光が届かない領域になる。
【００３７】
なお、光Ｌの反射光が届かない領域は、傾斜面３２と平面３３とがなす角度、光源７１の配置位置、及び、光源７１から発せられる光の向きによって変化する。本実施形態では、ユーザーの目に光Ｌの反射光が届かないように、傾斜面３２と平面３３とがなす角度、光源７１の配置位置、及び、光源７１から発せられる光の向きが調整されている。
光Ｌの反射光が届かない領域にユーザーの目を配置すると、ユーザーの目に光Ｌの反射光が届かず、本体２の内部の視認性が低下するという不具合を抑制することができる。
【００３８】
上述したように、キャリッジ３０が退避領域Ｂに配置される場合、カバー４を平面視して、キャリッジ３０は、退避領域Ｂにおいてフレーム１６と重なるように配置され、フレーム１６は光を透過しない非透光部材で構成されている。
さらに、キャリッジ３０が退避領域Ｂに配置される場合も光源７１から光Ｌが発せられる。退避領域Ｂに配置されるキャリッジ３０によって反射される光Ｌの反射光は、フレーム１６によって遮られるので、キャリッジ３０によって反射される反射光の強度を低減することができる。
【００３９】
上述したように、高さ方向から見て、光源７１は、キャリッジ３０の平面３３と重なるとともに、キャリッジ３０の傾斜面３２と重ならないように配置されている。
さらに、キャリッジ３０の平面３３は、キャリッジ３０の傾斜面３２に対して支持部１４における搬送方向Ｆの上流側に配置され、ユーザーは、傾斜面３２に対して支持部１４における搬送方向Ｆの下流側の位置から、光源７１の光が照射される領域を観察する。高さ方向から見て、光源７１がキャリッジ３０の平面３３と重なると、光源７１がキャリッジ３０の傾斜面３２と重なる場合と比べて、光源７１は、ユーザーから離れて配置され、本体２の奥まったところに配置される。すると、本体２の奥まったところが光源７１の光によって照らされるので、ユーザーは本体２の奥まったところを適正に視認できるようになり、ユーザーの視認性が向上する。
【００４０】
このように、本実施形態では、キャリッジ３０の表面に黒色のシボ塗装を施すことによって、キャリッジ３０による反射光を弱くし、本体２の内部の視認性が低下するという不具合を抑制することができる。
仮に、キャリッジ３０の表面に黒色のシボ塗装を施しても、キャリッジ３０による反射光の強度が適正に弱められず、黒色のシボ塗装だけでは本体２の内部の視認性が低下するという不具合が抑制されにくい場合であっても、黒色のシボ塗装に加えて、キャリッジ３０や変更部７７によって、キャリッジ３０による反射光の強度が弱められるので、本体２の内部の視認性が低下するという不具合を確実に抑制することができる。
従って、ユニバーサルデザインの基準に適合した設計の記録装置１００を提供することができる。加えて、ユーザーが本体２の内部を視認する際の視認性が向上し、記録装置１００を適正な状態に維持管理できるという優れた効果を奏することができる。
【００４１】
以下に、実施形態から導き出される内容を記載する。
【００４２】
記録装置は、メディアに記録可能な記録ヘッドと、前記記録ヘッドを収容するキャリッジと、前記キャリッジが走査する走査方向と交差する高さ方向において、前記キャリッジよりも上方に設けられる照明部と、を備え、前記照明部は、前記キャリッジに光を照射可能であり、前記キャリッジには、反射抑制処理が施されていることを特徴とする。
【００４３】
キャリッジに反射抑制処理が施されると、キャリッジは光を反射しにくくなり、照明部から照射される光を反射しにくくなる。すると、キャリッジによって反射される反射光が弱くなり、仮に、当該弱い反射光がユーザーの目に届く場合であっても、強い反射光がユーザーの目に届く場合と比べて、ユーザーは照明部によって照らされる領域を観察しやすくなり、ユーザーの視認性が向上する。
【００４４】
上記記録装置では、前記反射抑制処理は、黒色のシボ塗装であることが好ましい。
【００４５】
黒色のシボ塗装とは、凹凸を有する黒色の着色層を形成すること、または、凹凸が設けられた面に黒色の着色層を設けることであり、キャリッジは、光沢の無い黒色の着色層で覆われる。すると、光沢のある黒色の着色層で覆われる場合や、他の色の着色層で覆われる場合と比べて、キャリッジによって反射される反射光を弱くすることができる。
【００４６】
上記記録装置では、前記メディアを支持する支持部を備え、前記キャリッジは、前記支持部と対向する底面を有し、前記キャリッジには、前記高さ方向において上部、且つ、前記高さ方向と交差する前記メディアの搬送方向の下流において、前記底面に対して傾斜する傾斜面が形成されていることが好ましい。
【００４７】
傾斜面はキャリッジによって反射される反射光の向きを変えるので、キャリッジに傾斜面を設けると、当該反射光がユーザーの目に届かないように、当該反射光の向きを調整することができる。
【００４８】
上記記録装置では、前記キャリッジには、前記高さ方向において上部、且つ、前記傾斜面よりも前記搬送方向の上流に、前記底面と平行な平面が形成され、前記照明部は、光を発生する光源を有し、前記高さ方向から見て、前記光源は、前記平面と重なるとともに前記傾斜面と重ならないことが好ましい。
【００４９】
ユーザーは搬送方向の下流側から光源の光で照らされた領域を観察することになる。このため、高さ方向から見て、ユーザーから離れた位置にある搬送方向の上流側に位置する平面に重なるように光源を配置すると、ユーザーから離れた領域が光源の光に照らされやすくなり、ユーザーは、離れた領域を適正に観察することができる。
加えて、照明部から照射される光は、キャリッジの平面と傾斜面とで異なる方向に反射されるので、平面によって反射される反射光と、傾斜面によって反射される反射光との間に、反射光が届きにくい領域を形成することができる。当該反射光が届きにくい領域にユーザーの目が配置されるようにすると、反射光がユーザーの目に届きにくくなる。このため、ユーザーは、当該反射光の影響を受けることなく、光源の光で照らされた領域を適正に観察することができる。
【００５０】
上記記録装置では、前記照明部によって光が照射される領域である照射領域を視認可能に、前記記録装置の本体に支持されるカバーを備え、前記カバーは、光を透過する透光部材と、前記走査方向における前記透光部材の縁端を支持するフレームと、を含むとともに、前記本体に対して開閉可能に支持され、前記キャリッジは、前記走査方向において、前記メディアに記録する記録領域と、前記記録領域に対して前記走査方向の一方に外れた退避領域と、に移動可能であり、前記フレームは、光を透過しない非透光部材で構成され、前記カバーを平面視して、前記キャリッジは、前記退避領域において前記フレームと重なることが好ましい。
【００５１】
照明部の光は、ある程度の広がりをもって照射されるので、記録領域に加えて退避領域にも届く。キャリッジが退避領域に配置される場合、カバーを平面視して、フレームは退避領域のキャリッジと重なるように配置される。すると、退避領域のキャリッジによって反射された反射光が、フレームによって遮られるので、ユーザーは、当該反射光の影響を受けることなく、光源の光で照らされた領域を適正に観察することができる。
【００５２】
上記記録装置では、前記照明部は、光を発生する光源と、前記光源を支持する光源保持部と、を含み、前記記録装置の本体に対して前記光源保持部の向きを変更可能な変更部を備えることが好ましい。
【００５３】
変更部を設けると、キャリッジによって反射される反射光がユーザーの目に届かないように、光源保持部によって支持される光源の向きを調整することができる。
【符号の説明】
【００５４】
１…ロール紙、２…本体、３…スタンド、４…カバー、１０…画像形成部、１１…記録ヘッド、１２…ガイド軸、１４…支持部、１５…透光部材、１６…フレーム、２０…搬送部、２１…ロール紙除給部、２１ａ〜２１ｅ…搬送ローラー、２２…ロール紙格納部、２２ａ…第１格納部、２２ｂ…第２格納部、２２ｈ…ホルダー、２３…排出部、２３ａ，２３ｂ…搬送ローラー、２４…カッター、３０…キャリッジ、３１…底面、３２…傾斜面、３３…平面、７０…照明部、７１…光源、７２…光源保持部、７７…変更部、１００…記録装置。
【図１】
2020192757.tif 000003
【図２】
2020192757.tif 000004
【図３】
2020192757.tif 000005